(57)【要約】【課題】  本体装置と光ピックアップを接続する信号線の本数を削減し、少ない信号線で安定的な動作特性を得る。【解決手段】  光ピックアップと本体装置との間に配線される電源線及びグランド線を含む信号伝送線が光ピックアップ支持用のワイヤーを兼用して設けられ、アクチュエータのフォーカス駆動コイル及びトラッキング駆動コイルのグランド線と液晶パネル用のグランド線が１本のワイヤーで共有化されている。また、アクチュエータの駆動回路に液晶パネル用の液晶駆動信号を重畳して入力することにより、液晶駆動信号をアクチュエータの駆動コイルの両端に等しく重畳され、かつアクチュエータの可動部内で駆動コイルのグランド側端子が液晶パネルのグランド側電極部に接続されている。【選択図】        図１
2005339694.tif 000002
【特許請求の範囲】
【請求項１】
光記録媒体に対して情報信号の記録及び／または再生を行う光ピックアップと、前記光ピックアップに対して電源線及びグランド線を含む信号伝送線を介して必要な電源と制御信号の供給を行う本体装置とを有し、
前記光ピックアップは、光記録媒体に対向配置される対物レンズ及び収差補正用の液晶パネルを配置した可動部と、前記可動部をフォーカス方向及びトラッキング方向に駆動制御するアクチュエータとを有し、
前記本体装置から光ピックアップに接続されるグランド線は、前記アクチュエータのフォーカス駆動コイル及びトラッキング駆動コイルの少なくとも一方のグランド線と前記液晶パネル用のグランド線が１本のワイヤーで共有化され、かつ前記アクチュエータの可動部内に導かれて分岐され、前記駆動コイルのグランド側端子と前記液晶パネルのグランド側電極部に並列に接続されている、
ことを特徴とする光記録媒体記録及び／または再生装置。
【請求項２】
前記電源線及びグランド線を含む信号伝送線が光ピックアップ支持用のワイヤーを兼用していることを特徴とする請求項１記載の光記録媒体記録及び／または再生装置。
【請求項３】
前記液晶パネルの電極部に供給される１つの液晶駆動信号が前記アクチュエータのフォーカス駆動コイルまたはトラッキング駆動コイルの両端に等しく重畳され、かつ前記アクチュエータの可動部内で前記駆動コイルのグランド側端子が前記液晶パネルのグランド側電極部に接続されていることを特徴とする請求項１記載の光記録媒体記録及び／または再生装置。
【請求項４】
前記液晶パネルの電極部に供給される２つの液晶駆動信号が前記アクチュエータのフォーカス駆動コイルの両端及びトラッキング駆動コイルの両端に等しく重畳され、かつ前記アクチュエータの可動部内で前記駆動コイルのグランド側端子が前記液晶パネルのグランド側電極部に接続されていることを特徴とする請求項１記載の光記録媒体記録及び／または再生装置。
【請求項５】
光記録媒体に対して情報信号の記録及び／または再生を行う光ピックアップと、前記光ピックアップに対して電源線及びグランド線を含む信号伝送線を介して必要な電源と制御信号の供給を行う本体装置とを有し、
前記光ピックアップは、光記録媒体に対向配置される対物レンズ及び収差補正用の液晶パネルを配置した可動部と、前記可動部をフォーカス方向及びトラッキング方向に駆動制御するアクチュエータとを有し、
前記液晶パネルの電極部に供給される１つの液晶駆動信号が前記アクチュエータのフォーカス駆動コイルまたはトラッキング駆動コイルの両端に等しく重畳され、かつ前記アクチュエータの可動部内で前記駆動コイルのグランド側端子が前記液晶パネルのグランド側電極部に接続されている、
ことを特徴とする光記録媒体記録及び／または再生装置。
【請求項６】
前記電源線及びグランド線を含む信号伝送線が光ピックアップ支持用のワイヤーを兼用していることを特徴とする請求項５記載の光記録媒体記録及び／または再生装置。
【請求項７】
光記録媒体に対して情報信号の記録及び／または再生を行う光ピックアップと、前記光ピックアップに対して電源線及びグランド線を含む信号伝送線を介して必要な電源と制御信号の供給を行う本体装置とを有し、
前記光ピックアップは、光記録媒体に対向配置される対物レンズ及び収差補正用の液晶パネルを配置した可動部と、前記可動部をフォーカス方向及びトラッキング方向に駆動制御するアクチュエータとを有し、
前記液晶パネルの電極部に供給される２つの液晶駆動信号が前記アクチュエータのフォーカス駆動コイルの両端及びトラッキング駆動コイルの両端に等しく重畳され、かつ前記アクチュエータの可動部内で前記駆動コイルのグランド側端子が前記液晶パネルのグランド側電極部に接続されている、
ことを特徴とする光記録媒体記録及び／または再生装置。
【請求項８】
前記電源線及びグランド線を含む信号伝送線が光ピックアップ支持用のワイヤーを兼用していることを特徴とする請求項７記載の光記録媒体記録及び／または再生装置。
【発明の詳細な説明】
【技術分野】
【０００１】
本発明は、各種の光記録媒体に対して情報信号の再生や記録を行う光ピックアップを搭載した光記録媒体記録及び／または再生装置において、光ピックアップと本体装置との間で信号や電源の伝送を行う接続手段の改良に関するものである。
【背景技術】
【０００２】
従来、光ディスク記録再生装置の光ピックアップにおいては、光ディスクの高転送レート化や高密度化に伴い、対物レンズを可動するアクチュエータを小型化、軽量化することが要求されている。
また、光ピックアップにおいては、高密度に作成されたピット列から精度よくデータを再生することが求められ、そのための手段として、例えば光の収差を補正する収差補正機構を光ピックアップの光学系内に配置することが提案されている。
例えば、収差補正機構として液晶を対物レンズと共に一体に配置し、本体装置側の送信部から光ピックアップ側の受信部に、アクチュエータ駆動信号、液晶駆動信号を多重化して伝送用信号を生成し、この伝送用信号をアクチュエータの可動対象側に伝送し、この可動対象側の復調回路において、伝送用信号よりアクチュエータ駆動信号、液晶駆動信号を分離してアクチュエータと液晶を独立に駆動するような方法が提案されている（例えば特許文献１参照）。
これにより、信号伝送線（ワイヤー）をむやみに増加することがないので、アクチュエータから見たばね係数が必要最低限に抑えられ、アクチュエータの巻線数を少なくしても所望の感度（電圧対推進力）が得られる。
また、信号伝送線の本数を必要最小限の４本より増加させることがないので、スキューに対するバランスを最良にすることが可能である。
【特許文献１】特願２００２−０７６５２２号
【発明の開示】
【発明が解決しようとする課題】
【０００３】
しかしながら、上記従来技術において、伝送信号を多重化・分離駆動を行う際に、電気的な問題として、理想的にはアクチュエータのフォーカス及びトラッキング制御に用いる全てのワイヤーに全く同じ電圧値の液晶駆動電圧が多重伝送されなければならないが、実際にはアクチュエータ及び液晶それぞれのデバイスに対し、お互いの駆動信号による干渉性がある。
また、アクチュエータの全てのワイヤーに多重伝送される液晶駆動電圧は大振幅であり、矩形波の高調波成分によるノイズが発生してしまう。
さらに、メカ的には復調回路の実装の仕方によるバランスのばらつきが問題であり、光学的には復調回路を用いて多重伝送された液晶駆動信号を分離することにより、液晶のＧＮＤを含め最大３極分の信号しか生成することができず、理想的な位相曲面に対して、２値の電圧値を元に近似的に位相を制御するしかできず、収差補正精度が低いという問題がある。また、歩留り的には、復調回路（チップ部品）の実装工程が非常に困難であり、生産コストが高く、不良率が増加する等の問題がある。
【０００４】
そこで本発明は、本体装置と光ピックアップを接続する信号線の本数を削減でき、少ない信号線で安定的な動作特性を得ることができる光記録媒体記録及び／または再生装置を提供することを目的とする。
【課題を解決するための手段】
【０００５】
上述の目的を達成するため、本発明の光記録媒体記録及び／または再生装置は、光記録媒体に対して情報信号の記録及び／または再生を行う光ピックアップと、前記光ピックアップに対して電源線及びグランド線を含む信号伝送線を介して必要な電源と制御信号の供給を行う本体装置とを有し、前記光ピックアップは、光記録媒体に対向配置される対物レンズ及び収差補正用の液晶パネルを配置した可動部と、前記可動部をフォーカス方向及びトラッキング方向に駆動制御するアクチュエータとを有し、前記本体装置から光ピックアップに接続されるグランド線は、前記アクチュエータのフォーカス駆動コイル及びトラッキング駆動コイルの少なくとも一方のグランド線と前記液晶パネル用のグランド線が１本のワイヤーで共有化され、かつ前記アクチュエータの可動部内に導かれて分岐され、前記駆動コイルのグランド側端子と前記液晶パネルのグランド側電極部に並列に接続されていることを特徴とする。
また本発明の光記録媒体記録及び／または再生装置は、前記液晶パネルの電極部に供給される１つの液晶駆動信号が前記アクチュエータのフォーカス駆動コイルまたはトラッキング駆動コイルの両端に等しく重畳され、かつ前記アクチュエータの可動部内で前記駆動コイルのグランド側端子が前記液晶パネルのグランド側電極部に接続されていることを特徴とする。
また本発明の光記録媒体記録及び／または再生装置は、前記液晶パネルの電極部に供給される２つの液晶駆動信号が前記アクチュエータのフォーカス駆動コイルの両端及びトラッキング駆動コイルの両端に等しく重畳され、かつ前記アクチュエータの可動部内で前記駆動コイルのグランド側端子が前記液晶パネルのグランド側電極部に接続されていることを特徴とする。
【発明の効果】
【０００６】
本発明の光記録媒体記録及び／または再生装置によれば、光ピックアップのアクチュエータの駆動コイルのグランド線と液晶パネル用のグランド線が１本のワイヤーで共有化され、アクチュエータの可動部内に導かれて分岐されて駆動コイルのグランド側端子と液晶パネルのグランド側電極部に並列に接続されたことから、本体装置と光ピックアップを接続するグランド線の本数を削減できる。
また、液晶パネルの電極部に供給される１つの液晶駆動信号をアクチュエータの駆動コイルの両端に等しく重畳して供給し、かつアクチュエータの可動部内で駆動コイルのグランド側端子を液晶パネルのグランド側電極部に接続したことから、本体装置と光ピックアップを接続する駆動信号線の本数を削減できる。
この結果、光ピックアップと本体装置との間で、少ない信号線で安定的な動作特性を得ることができる光記録媒体記録及び／または再生装置を提供できる効果がある。
【発明を実施するための最良の形態】
【０００７】
本発明の実施の形態では、光ピックアップと本体装置との間に配線される電源線及びグランド線を含む信号伝送線が光ピックアップ支持用のワイヤーを兼用して設けられ、アクチュエータのフォーカス駆動コイル及びトラッキング駆動コイルのグランド線と液晶パネル用のグランド線が１本のワイヤーで共有化されている。
また、アクチュエータの駆動回路に液晶パネル用の液晶駆動信号を重畳して入力することにより、液晶駆動信号をアクチュエータの駆動コイルの両端に等しく重畳され、かつアクチュエータの可動部内で駆動コイルのグランド側端子が液晶パネルのグランド側電極部に接続されている。
これらの構成により、光ピックアップと本体装置との間の配線数を削減できる。
【実施例１】
【０００８】
図１は本発明の実施例による光ディスク記録再生装置の構成例を示すブロック図である。
図示のように、この光ディスク記録再生装置１は、例えば高密度記録可能な相変化型光ディスク２の記録再生を行うものである。
まず、光ピックアップ７は、対物レンズを駆動する二軸アクチュエータ５、収差補正機構としての液晶パネル６、光学系、及びレーザ光源（図示せず）等を搭載したものであり、二軸アクチュエータ５は液晶パネル６と一体型となっている。
そして、光ピックアップ７では、光ディスク２にレーザ光を照射して戻り光を光検出器で受光し、その受光結果をマトリクス回路８に出力する。また、光ピックアップ７は、図示しない駆動回路により光ディスク２に照射する光の光量を間欠的に立ち上げ、光ディスク２に順次ピット列を形成して所望のデータを記録する。
マトリックス回路８は、光ピックアップ７より出力される受光結果を電流電圧変換処理した後、マトリックス演算処理し、フォーカスエラー信号ＦＥ、トラッキングエラー信号ＴＥを生成し、さらには光ディスク２に記録されたデータを再生する。
また、スピンドルモータ３は、サーボ回路４の制御により、光ディスクを所定の回転速度により回転駆動する。
【０００９】
サーボ回路４は、光ピックアップ７に配置された収差補正機構である液晶パネル６の制御値を計算し、この計算結果により液晶駆動ゲイン制御信号Ｓ４を出力し、また、トラッキングエラー信号及びフォーカスエラー信号を基準にして、光ピックアップ７に配置されたアクチュエータ５の駆動に用いるトラッキング制御用及びフォーカス制御用の駆動信号Ｓ１、Ｓ５を出力する。矩形波信号生成回路１０は直流レベルが０レベルであるデューティー比５０[％]の矩形波信号Ｓ３を生成して出力する。
また、アクチュエータ駆動回路及び液晶駆動回路９は、アクチュエータ駆動回路によりアクチュエータを駆動できる程の能力を持つトラッキング制御用及びフォーカス制御用電圧出力型あるいは電流出力型のアクチュエータ駆動信号として出力し、液晶駆動回路により矩形波信号のゲインを制御し、電圧振幅の異なる複数の液晶駆動信号を出力する。
本体装置（ここでは便宜上、送信部という）側では、サーボ回路４より出力された信号を受け取り、それらの信号を元に矩形波信号生成回路１０及びアクチュエータ駆動回路及び液晶駆動回路９を動作させることにより、アクチュエータと液晶パネルそれぞれの伝送用駆動信号Ｓ６、Ｓ７、Ｓ８、Ｓ９、Ｓ１０、Ｓ１２を光ピックアップ（ここでは便宜上、受信部という）９に出力する。
【００１０】
図２〜図７は本実施例における本体装置（送信部）側と光ピックアップ（受信部）側の接続例を示すブロック図である。以下、これらの図に基づいて本実施例の詳細な構成及び動作を順次説明する。
まず、図２〜図７の共通の構成について説明する。
送信部１００Ａは、正負の直流電圧により、入力信号のゲインを制御して出力することができる可変ゲイン回路１０１と、アクチュエータを駆動できる程の能力を持つ電圧出力型または電流出力型の駆動回路１０２、１０３を有して構成されている。
また、受信部１００Ｂは、収差補正機構である液晶パネル１０５、１０６と、対物レンズ（図２〜図７では省略）及び収差補正液晶パネル１０５、１０６を含むブロックを駆動するアクチュエータ１０７、１０８で構成されている。なお、アクチュエータ１０７、１０８の一方はフォーカス駆動用であり、他方はトラッキング駆動用であり、それぞれ駆動用コイル等を含んで構成されている。
また、送信部と受信部は光ピックアップ支持用ワイヤー兼信号伝送線１０４によって接続されている。この信号伝送線１０４はフレキシブル基板等によって構成され、電源線やグランド線を含んでいる。
【００１１】
また、図２〜図７より分かるように、液晶パネル１０５、１０６及び各種配線は、各図において異なるものであり、図２及び図３に示す液晶パネル１０５、１０６は２極構造を有し、図４及び図５に示す液晶パネル１０５、１０６は３極構造を有し、図６及び図７に示す液晶パネル１０５、１０６は４極構造を有し、それぞれ異なる配線接続構造を有する。
まず、図２〜図７に共通した動作として、可変ゲイン回路１０１にデューティーが５０％の矩形波Ｓ１０３を入力し、可変ゲイン回路１０１に入力するゲイン制御信号（Ｓ１０４）により、液晶パネル１０５、１０６に印加する矩形波の振幅を制御する。
【００１２】
次に、説明の便宜上、図３、図４、図５、図２、図６、図７の順で個々の構成及び動作を説明する。
まず、図３において、液晶パネル１０５、１０６は２極構造を有し、それぞれの電極に２つの液晶駆動信号Ｌｃ１、Ｌｃ２を印加して駆動する方式となっている。
そして、送信部１００Ａにおいて、可変ゲイン回路１０１からの一方の液晶駆動信号Ｌｃ１（Ｓ１０８）とアクチュエータ駆動信号Ａａ（Ｓ１０１）の加算器１１０によって加算され、その加算信号（Ｓ１１３）がアクチュエータ駆動回路１０２に入力され、アクチュエータ駆動回路１０２から出力された信号Ｌｃ１＋Ａａ（Ｓ１０７）と液晶駆動信号Ｌｃ１がアクチュエータＡ１０８のコイルの両端に印加される。アクチュエータＡ１０８の両端電圧は、液晶駆動信号Ｌｃ１をコモンモードとしてコイルに印加されるので、入力信号と同じ電圧のアクチュエータ駆動信号Ａａとなる。
同様に、可変ゲイン回路１０１からの他方の液晶駆動信号Ｌｃ２（Ｓ１０９）とアクチュエータ駆動信号Ａｂ（Ｓ１０５）との加算器１１２による加算信号（Ｓ１１１）がアクチュエータ駆動回路１０３に入力され、アクチュエータ駆動回路１０３から出力された信号Ｌｃ２＋Ａｂ（Ｓ１１０）と液晶駆動信号Ｌｃ２がアクチュエータＢ１０７の両端に印加される。アクチュエータＢ１０７の両端電圧は、液晶駆動信号Ｌｃ２をコモンモードとしてコイルに印加されるので、入力信号と同じ電圧のアクチュエータ駆動信号Ａｂとなる。
また、液晶駆動信号Ｌｃ１、Ｌｃ２に関しては、アクチュエータＡ１０８、Ｂ１０７の両端において、液晶駆動信号Ｌｃ１、Ｌｃ２のみ伝送されている信号線を２極液晶パネルＡ１０５、Ｂ１０６の２つの信号電極にそれぞれ並列に接続することにより、２極液晶パネルＡ１０５、Ｂ１０６に液晶駆動信号Ｌｃ１、Ｌｃ２を印加している。
【００１３】
次に、図４において、液晶パネル１０５、１０６は３極構造を有し、そのうち１つの電極がグランド（ＧＮＤ）端子、その他の２つの電極に２つの液晶駆動信号Ｌｃ１、Ｌｃ２を印加して駆動する方式となっている。
そして、アクチュエータＡ１０８のＧＮＤ（Ｓ１０２）と３極液晶Ａ１０５、Ｂ１０６のＧＮＤとを共有化し、液晶駆動信号Ｌｃ１、Ｌｃ２（Ｓ１０８、Ｓ１０９）を３極液晶Ａ１０５、Ｂ１０６に印加する。
一方、アクチュエータ駆動信号Ａａ、Ａｂ（Ｓ１０１、Ｓ１０５）は、アクチュエータ駆動回路１０２、１０３に入力され、このアクチュエータ駆動回路１０２、１０３から出力された信号（Ｓ１０７、Ｓ１１０）は、ワイヤー（１０４）を介してアクチュエータＡ１０８のコイル両端にアクチュエータ駆動信号Ａａとして印加され、アクチュエータＢ１０７のコイル両端にアクチュエータ駆動信号Ａｂとして印加される。
【００１４】
次に、図５においても、液晶パネル１０５、１０６は３極構造を有し、そのうち１つの電極がグランド（ＧＮＤ）端子、その他の２つの電極に２つの液晶駆動信号Ｌｃ１、Ｌｃ２を印加して駆動する方式となっている。
そして、図５に示すように、アクチュエータ駆動回路１０３には、加算器１１２により、液晶駆動信号Ｌｃ２（Ｓ１０９）とアクチュエータ駆動信号Ａｂ（Ｓ１０５）の加算信号（Ｓ１１１）が入力され、アクチュエータ駆動回路１０３から出力された加算信号Ｌｃ２＋Ａｂ（Ｓ１１０）と液晶駆動信号Ｌｃ２がアクチュエータＢ１０７のコイル両端に印加される。ここで、アクチュエータＢ１０７の両端電圧は、液晶駆動信号Ｌｃ２をコモンモードとしてコイルに印加されるので、入力信号と同じ電圧のアクチュエータ駆動信号Ａｂとなる。
一方、アクチュエータ駆動信号Ａａ（Ｓ１０１）はアクチュエータ駆動回路１０２に入力され、このアクチュエータ駆動回路１０２から出力された信号（Ｓ１０７）が、ワイヤー１０４を介してアクチュエータＡ１０８のコイル両端にアクチュエータ駆動信号Ａａとして印加される。
３極液晶パネルＡ１０５、Ｂ１０６においては、ＧＮＤ線（Ｓ１０６）と液晶駆動信号Ｌｃ１（Ｓ１０８）を伝送する信号線が接続されていて、アクチュエータＢ１０７のコイル両端において、液晶駆動信号Ｌｃ２のみ伝送されている信号線を３極液晶パネルＡ１０５、Ｂ１０６の信号電極の１つに並列に接続することにより、３極液晶パネルＡ１０５、Ｂ１０６に液晶駆動信号Ｌｃ１、Ｌｃ２を印加する。
【００１５】
次に、図２及び図６においては、上述の図４及び図５で説明した動作を複合して使用し、２極液晶あるいは４極液晶を駆動する。
まず、図２及び図６に共通の構成として、アクチュエータＡ１０８のＧＮＤ（Ｓ１０２）と液晶パネルＡ１０５、Ｂ１０６の１つの電極（ＧＮＤ）を共有化する。すなわち、図２に示す２極液晶パネルＡ１０５、Ｂ１０６の場合には、一方の電極をＧＮＤ端子としてアクチュエータＡ１０８のＧＮＤ（Ｓ１０２）を接続し、他方の電極に液晶駆動信号を供給する。
また、図６に示す４極液晶パネルＡ１０５、Ｂ１０６の場合には、４つのうちの１つの電極をＧＮＤ端子としてアクチュエータＡ１０８のＧＮＤ（Ｓ１０２）を接続し、残りの３つの電極に３つの液晶駆動信号を供給する。
【００１６】
次に、図２において、２極液晶パネルＡ１０５、Ｂ１０６を駆動する場合、アクチュエータＢ１０７のコイル両端に供給される信号に液晶駆動信号Ｌｃ２（Ｓ１０９）を等しく重畳し、かつ、液晶駆動信号Ｌｃ２のみ伝送されている信号線（Ｓ１０９）を２極液晶パネルＡ１０５、Ｂ１０６の他方の電極（すなわち、ＧＮＤの反対側の電極）に並列に接続する。これにより、アクチュエータＢ１０７のコイル両端の電圧は、液晶駆動信号Ｌｃ２をコモンモードとしてコイルに印加されるので、入力信号と同じ電圧のアクチュエータ駆動信号Ａｂとなり、２極液晶パネルＡ、Ｂに液晶駆動信号Ｌｃ２を印加する。
【００１７】
また、図６に示す４極液晶パネルＡ１０５、Ｂ１０６を駆動する場合、アクチュエータＢ１０７のコイル両端に、液晶駆動信号Ｌｃ３を等しく重畳し、この液晶駆動信号Ｌｃ３のみ伝送されている信号線（Ｓ１１２）を４極液晶パネルＡ１０５、Ｂ１０６の信号電極の１つに並列に接続する。これにより、アクチュエータＢ１０７のコイル両端の電圧は、液晶駆動信号Ｌｃ３をコモンモードとしてアクチュエータに印加されるので、入力信号と同じ電圧のアクチュエータ駆動信号Ａｂとなり、４極液晶パネルＡ１０５、Ｂ１０６に液晶駆動信号Ｌｃ３を印加する。
その他の駆動信号に関しては、図４及び図５と同様の方法を用いてアクチュエータＡ１０８のコイル両端にアクチュエータ駆動信号Ａａ（Ｓ１０７）を印加し、４極液晶パネルＡ１０５、Ｂ１０６に液晶駆動信号Ｌｃ１、Ｌｃ２（Ｓ１０８、Ｓ１０９）を印加する。
【００１８】
次に、図７においても、液晶パネル１０５、１０６は４極構造を有し、そのうち１つの電極がグランド（ＧＮＤ）端子、その他の３つの電極に３つの液晶駆動信号Ｌｃ１、Ｌｃ２、Ｌｃ３を印加して駆動する方式となっている。
そして、アクチュエータＡ１０８のＧＮＤ（Ｓ１０２）をアクチュエータＢ１０７のＧＮＤ端子及び４極液晶パネルＡ１０５、Ｂ１０６の１極（ＧＮＤ）と共有化することにより、アクチュエータＡ１０８、Ｂ１０７及び４極液晶パネルＡ１０５、Ｂ１０６のＧＮＤが全て１つに統一化される。これにより、アクチュエータ駆動信号Ａａ、Ａｂ（Ｓ１０１、Ｓ１０５）がアクチュエータ駆動回路１０２、１０３に入力され、アクチュエータ駆動回路から出力された信号（Ｓ１０７、Ｓ１１０）は、ワイヤー１０４を介してアクチュエータＡ１０８のコイル両端にアクチュエータ駆動信号Ａａ、アクチュエータＢ１０７のコイル両端にアクチュエータ駆動信号Ａｂとして印加される。４極液晶パネルＡ１０５、Ｂ１０６においては、可変ゲイン回路１０１によって制御される液晶駆動信号Ｌｃ１、Ｌｃ２、Ｌｃ３（Ｓ１０８、Ｓ１０９、Ｓ１１２）が印加される。
【００１９】
以上のような本発明の実施例を適用することにより、以下のような効果を得ることが可能となる。
すなわち、従来の光ピックアップにおいて、アクチュエータの可動部に２極液晶パネルを搭載すると、アクチュエータ駆動信号線４本と２極液晶駆動信号線２本の計６本の信号線が必要となる。さらに、アクチュエータの可動部に３極液晶パネルまたは４極液晶パネルを搭載すると、アクチュエータ駆動信号線４本と３極液晶駆動信号線３本の計７本の信号線、またはアクチュエータ駆動信号線４本と４極液晶駆動信号線４本の計８本の信号線が必要となる。
これに対し、本実施例で説明したように、複数のアクチュエータ駆動信号線の一部あるいは全てと複数の液晶駆動信号線の一部あるいは全てを１本のワイヤーに共有化し、アクチュエータと液晶パネルをそれぞれ独立に制御する駆動方法を用いることにより、必要となる駆動信号線の本数を、２極液晶の場合であれば４本、３極液晶または４極液晶の場合であれば６本に減らすことができる。
さらに、アクチュエータの可動部に復調回路を実装することもないので、生産コスト及び不良率の低下が望める。また、アクチュエータの全てのワイヤーに多重伝送される液晶駆動信号電圧が小振幅となり、液晶駆動信号によるアクチュエータへの影響及び矩形波の高調波成分によるノイズの発生を抑えることができる。
一方、メカ的には、復調回路の実装の仕方によるバランスのばらつきがなく、負荷が最小限に抑えられるので特性劣化が少なく、さらに光学的には電極数を多くすることができるので、理想的な位相曲面に対してより厳密に近似することができ、収差補正精度を向上させることができる。
なお、本発明は、光記録媒体の記録と再生の両方を行う装置に限らず、いずれか一方を行う装置にも適用できるものであり、本発明でいう光記録媒体記録及び／または再生装置とは、それらを全て含むものとする。
【図面の簡単な説明】
【００２０】
【図１】本発明の実施例による光ディスク記録再生装置の概要を示すブロック図である。
【図２】図１に示す実施例の接続構造の第１の例を示すブロック図である。
【図３】図１に示す実施例の接続構造の第２の例を示すブロック図である。
【図４】図１に示す実施例の接続構造の第３の例を示すブロック図である。
【図５】図１に示す実施例の接続構造の第４の例を示すブロック図である。
【図６】図１に示す実施例の接続構造の第５の例を示すブロック図である。
【図７】図１に示す実施例の接続構造の第６の例を示すブロック図である。
【符号の説明】
【００２１】
１……光ディスク記録再生装置、２……光ディスク、３……スピンドルモータ、４……サーボ回路、５……二軸アクチュエータ、６……液晶パネル、７……光ピックアップ、８……マトリクス回路、９……アクチュエータ駆動回路及び液晶駆動回路、１０……矩形波信号生成回路。
【図１】
2005339694.tif 000003
【図２】
2005339694.tif 000004
【図３】
2005339694.tif 000005
【図４】
2005339694.tif 000006
【図５】
2005339694.tif 000007
【図６】
2005339694.tif 000008
【図７】
2005339694.tif 000009